(57)【特許請求の範囲】
【請求項１】
棒状本体と、この棒状本体に取り付けられたネジ式ジャッキと、当該ジャッキを挟むように前記棒状本体に取り付けられた一対の当て部材とから成り、前記ジャッキの棒状本体に対して遠近方向に移動する先端金具と前記一対の当て部材の先端金具には、棒状本体のある側に向かって棒状部材と係合するフック形係合部と、このフック形係合部に対して棒状本体のある側とは反対の側に設けられ且つ棒状本体のある側とは反対向きで棒状部材と係合するコの字形係合部とが設けられている、棒状部材の歪み取り装置。
【請求項２】
前記一対の当て部材は、棒状本体の長さ方向に位置変更固定自在に取り付けられている、請求項１に記載の棒状部材の歪み取り装置。
【発明の詳細な説明】
【０００１】
【発明の属する技術分野】
本発明は、運搬用台車の荷台周囲に立設されるパネル等を構成している棒状部材の変形を矯正する歪み取り装置に関するものである。
【０００２】
【従来の技術】
運搬用台車の一例を図６に基づいて説明すると、四隅下側に移動用車輪３１を備えた荷台３２の三側辺に背パネル３３と左右両側パネル３４，３５とを立設し、前面には、着脱又は係脱自在な連結バー３６が架設された運搬用台車３７が知られている。具体的には、前記荷台３２は、着脱自在か又はパネル３３〜３５の内の１つの内側に重ねるように折り畳み可能に支持され、左右両側パネル３４，３５の内、少なくとも１つは、背パネル３３の内側に重ねるように折り畳み可能に支承された、運搬用台車３７が知られている。
【０００３】
例えば上記のような構成の運搬用台車３７に使用されている各パネル３３〜３５は、主として台車全体の軽量化を図るために、パイプ材や形鋼等で形成された周囲枠３８と、この周囲枠３８に架設された複数段の横桟３９と、当該横桟３９と交差するように周囲枠３８に架設された複数本の縦桟４０とで格子状に構成されるのが一般的である。
【０００４】
【発明が解決しようとする課題】
上記のような運搬用台車等に使用されている格子構造のパネル３３〜３５は、トラック輸送時等に於いてロープ掛けにより固定されるようなとき、ロープがパネル３３〜３５の中間高さ部分を周囲から緊縛する箇所では、ロープの締め過ぎによりパネル３３〜３５の周囲枠３８等が内側に変形する場合が多い。このようなパネルの変形が生じたとき、従来は、手で周囲枠等の変形した箇所を外向きに引っ張ったり、ハンマーで外向きに打ち叩く等して、変形を元に戻す作業が行われていたが、その作業は作業者に多大の労力を強いるにもかかわらず、満足し得るような結果を得ることは容易でなかった。
【０００５】
勿論、他物がパネル３３〜３５の上に落下する等してパネル３３〜３５に下向きに過大外力が作用したような場合は、パネル３３〜３５の周囲枠３８等が外向きに湾曲変形することも考えられが、このようなときも、その変形箇所を元に戻す作業は上記と同じ要領で行われていた。
【０００６】
【課題を解決するための手段】
本発明は上記のような従来の問題点を解消し得る棒状部材の歪み取り装置を提供することを目的とするものであって、請求項１に記載の本願発明は、後述する実施形態の参照符号を付して示すと、棒状本体１と、この棒状本体１に取り付けられたネジ式ジャッキ２と、当該ジャッキ２を挟むように前記棒状本体１に取り付けられた一対の当て部材７Ａ，７Ｂとから成り、前記ジャッキ２の棒状本体１に対して遠近方向に移動する先端金具６と前記一対の当て部材７Ａ，７Ｂの先端金具１２には、棒状本体１のある側に向かって棒状部材Ｐと係合するフック形係合部２０，２１と、このフック形係合部２０，２１に対して棒状本体１のある側とは反対の側に設けられ且つ棒状本体１のある側とは反対向きで棒状部材Ｐと係合するコの字形係合部２２，２３とが設けられた構成となっている。
【０００７】
上記構成の本発明を実施するについて、具体的には請求項２に記載のように、前記一対の当て部材７Ａ，７Ｂは、棒状本体１の長さ方向に位置変更固定自在に取り付けるのが望ましい。
【０００８】
【発明の実施の形態】
以下に本発明の基礎となった参考例を添付図に基づいて説明すると、図１〜図３に於いて、１は角パイプ利用の棒状本体であり、その長さ方向の中央位置にネジ式ジャッキ２が取り付けられている。当該ジャッキ２は、棒状本体１の長さ方向中央位置に固着されたナット３を利用して構成した貫通ネジ孔に、棒状本体１の長さ方向に対し直角向きに螺合貫通させたネジ軸４と、このネジ軸４の外端に直角向きに取り付けられたハンドルバー５と、ネジ軸４の内端に、当該ネジ軸４の軸心の周りに相対回転自在に取り付けられた先端金具６とから構成されている。又、棒状本体１には、ジャッキ２の両側で棒状本体１の長さ方向に移動固定自在な当て部材７Ａ，７Ｂが設けられている。
【０００９】
前記ジャッキ２の先端金具６には、棒状本体１と平行な向きの棒状部材Ｐをネジ軸４の軸心延長線上で引っ掛けて棒状本体１の方へ引き寄せるための角フック形の係合部８が設けられている。一対の当て部材７Ａ，７Ｂは、棒状本体１に移動のみ可能に外嵌され且つ固定ボルト９により任意位置で棒状本体１に固定出来る摺動体１０と、この摺動体１０から前記ジャッキ２の先端金具６のある側に突設された支柱部材１１と、この支柱部材１１の先端に固着された先端金具１２とから成るもので、当該先端金具１２には、棒状本体１と平行な向きの棒状部材Ｐに嵌合して棒状本体１から遠ざける方向に押し出すためのコの字形の係合部１３が形成されている。
【００１０】
使用方法について説明すると、図１に示すように、ジャッキ２の先端金具６を両当て部材７Ａ，７Ｂの先端金具１２を結ぶ線より適当量だけ外側（棒状本体２のある側とは反対側）に進出させた状態で、湾曲又は折曲変形している棒状部材（前記パネル３３〜３５の周囲枠３８や縦桟４０等で、丸パイプ、角パイプ、中実棒状材、平帯状材等から成る）Ｐの頂部に対し、ジャッキ２の先端金具６の角フック形係合部８を引っ掛ける。そして棒状本体１を棒状部材Ｐと平行な向きにして、両当て部材７Ａ，７Ｂの先端金具１２のコの字形係合部１３を棒状部材Ｐに嵌合させる。係る状態でハンドルバー５を利用してジャッキ２のネジ軸４を引き込み方向に回転操作し、当該ジャッキ２の先端金具６を棒状本体１の側へ引き寄せる。この結果、棒状部材Ｐの頂部が、その両側の当て部材７Ａ，７Ｂの先端金具１２で受け止められている２箇所を支点にして棒状本体１の方へ引き寄せられるので、棒状部材Ｐが直線状に戻るまでジャッキ２の先端金具６を棒状本体１の側へ引き寄せることにより、棒状部材Ｐを湾曲又は折曲変形を矯正して元の直線状に戻すことが出来る。
【００１１】
棒状部材Ｐの変形を矯正して元の直線状に戻し終えたならば、ジャッキ２のネジ軸４を逆回転させて先端金具６を棒状本体１から遠ざける方向に戻すことにより、棒状部材Ｐから各先端金具６，１２を外すことが出来る。尚、両当て部材７Ａ，７Ｂの間隔は、棒状部材Ｐの変形領域の長さに応じて調整すれば良い。即ち、棒状部材Ｐの変形領域の両端（棒状部材Ｐがその全長にわたって変形しているときは、棒状部材Ｐの両端）又はその近傍位置に両当て部材７Ａ，７Ｂの先端金具１２を嵌合させることが出来るように、固定ボルト９を弛めた状態で摺動体１０を棒状本体１に沿って移動させ、位置調整後に固定ボルト９を締結して摺動体１０を棒状本体１に固定すれば良い。
【００１２】
上記参考例として示した装置は、湾曲又は折曲変形している棒状部材Ｐに対し、その湾曲又は折曲変形部分の内側に棒状本体１を配置し、当該棒状部材Ｐの変形頂部をジャッキ２で引き寄せて直線状に矯正するものであるが、逆に、湾曲又は折曲変形している棒状部材Ｐに対し、その湾曲又は折曲変形部分の外側に棒状本体１を配置し、当該棒状部材Ｐの変形頂部をジャッキ２で押圧して直線状に矯正することもで切るように構成することが出来る。
【００１３】
即ち、図４は本発明の好適実施形態を示すもので、同図に示すように、本発明では、ジャッキ２の先端金具６と両当て部材７Ａ，７Ｂの先端金具１２とに、棒状本体１のある側に向かって棒状部材Ｐと係合する角形のフック形係合部２０，２１と、このフック形係合部２０，２１に対して棒状本体１のある側とは反対の側に設けられ且つ棒状本体１のある側とは反対向きで棒状部材Ｐと係合するコの字形係合部２２，２３とが設けられる。
【００１４】
而して上記本発明の構成によれば、図１に示すように、湾曲又は折曲変形している棒状部材Ｐに対し、その湾曲又は折曲変形部分の内側に棒状本体１を配置して、当該棒状部材Ｐの変形頂部をジャッキ２で引き寄せて直線状に矯正する場合は、ジャッキ２の先端金具６のフック形係合部２０と両当て部材７Ａ，７Ｂの先端金具１２のコの字形係合部２３とを棒状部材Ｐに係合させれば良く、逆に、湾曲又は折曲変形している棒状部材Ｐに対し、その湾曲又は折曲変形部分の外側に棒状本体１を配置し、当該棒状部材Ｐの変形頂部をジャッキ２で押圧して直線状に矯正する場合は、ジャッキ２の先端金具６のコの字形係合部２２と両当て部材７Ａ，７Ｂの先端金具１２のフック形係合部２１とを棒状部材Ｐに係合させれば良い。
【００１５】
【発明の効果】
本発明の棒状部材の歪み取り装置は以上のように実施し且つ使用することができるものであって、係る本発明の装置によれば、図５に示すような運搬用台車の周囲のパネルを構成する棒状部材の湾曲又は折曲変形を矯正するとき、当該棒状部材の変形頂部にジャッキの先端金具を係合させると共に両側の当て部材の係合部を前記棒状部材に係合させた状態で、前記ジャッキを作動させてその先端金具を引き寄せるか又は押し出すことにより、棒状部材の変形頂部を、両当て部材との係合箇所を支点に変形の内側に移動させて、直線状に戻すことが出来る。
【００１６】
即ち、本発明装置を使用することにより、前記パネルを構成する棒状部材の湾曲又は折曲変形をネジ式ジャッキの操作だけで簡単容易に矯正することが出来、変形したパネルを現場で簡単に原形又はそれに近い状態に復元させて、見栄え良く且つ安全に活用することが出来る。しかも本発明の構成によれば、パネルの周囲枠が内向きに湾曲又は折曲変形している場合には、その周囲枠の変形の矯正作業を、当該パネルの外側に本発明装置を配置した状態で容易に行うことが出来、逆に、パネルの周囲枠が外向きに湾曲又は折曲変形している場合、或いは当該周囲枠の内側の縦桟等がパネルの面に対し外向きに湾曲又は折曲変形している場合には、その周囲枠や縦桟等の変形の矯正作業を、当該パネルの外側に本発明装置を配置した状態で容易に行うことが出来る。即ち、棒状部材が内向きに変形している場合、外向きに変形している場合に関係なく、１台の装置で当該棒状部材の変形を容易に矯正できるのである。
【００１７】
尚、請求項２に記載の構成によれば、変形を矯正すべき棒状部材の変形領域の長さに応じて一対の当て部材の間隔を変更して、常に効率よく効果的に変形の矯正作業を行うことが出来る。
【図面の簡単な説明】
【図１】  参考例としての装置の使用状態を示す一部縦断側面図である。
【図２】  同装置のネジ式ジャッキを示す縦断側面図である。
【図３】  同装置の当て部材を示す縦断側面図である。
【図４】  本発明の一実施形態を示す図であって、Ａ図は当て部材を示す縦断側面図、Ｂ図はネジ式ジャッキを示す縦断側面図である。
【図５】  Ａ図は運搬用台車の一例を示す左側面図、Ｂ図は同正面図、Ｃ図は同右側面図、そしてＤ図は同背面図である。
【符号の説明】
１    角パイプ利用の棒状本体
２    ネジ式ジャッキ
４    ネジ軸
５    ハンドルバー
６    先端金具
７Ａ，７Ｂ    当て部材
８，２０，２１    フック形係合部
９    固定ボルト
１０    摺動体
１１    支柱部材
１２    先端金具
１３，２２，２３    コの字形係合部
３３〜３５    パネル
３８    周囲枠
４０    縦桟
Ｐ    矯正される棒状部材
【図１】
0003972595.tif 000002
【図２】
0003972595.tif 000003
【図３】
0003972595.tif 000004
【図４】
0003972595.tif 000005
【図５】
0003972595.tif 000006